【手続補正書】
【提出日】平成22年10月15日(2010.10.15)
【手続補正１】
【補正対象書類名】特許請求の範囲
【補正対象項目名】全文
【補正方法】変更
【補正の内容】
【特許請求の範囲】
【請求項１】
無線ネットワーク（ＷＮ）における無線端末の動作の追跡を命令する方法であって、
前記無線ネットワーク（ＷＮ）のコアネットワークセクション（ＣＮ）に配置されたコアネットワーク管理装置（３２）において、無線端末（１６）に関する追跡を求める第１リクエストであって前記第１リクエストに関連付けられた追跡ログデータを受信する宛先追跡ログデータ処理装置（２６）のアドレスまたは前記アドレスの特定を可能にするデータを含む前記第１リクエストを受信するステップ（６２；７２）と、
前記リクエストに基づいて、前記無線ネットワーク（ＷＮ）のアクセスネットワークセクション（ＡＮ）のネットワーク要素（１０、１２、１４、２０、２２、２４）に対し、前記無線端末（１６）に関する追跡を実行するよう自動的に命令するステップ（６８；７６）と、
前記第１リクエストに関連付けられた追跡ログデータが前記宛先追跡ログデータ処理装置（２６）へ送信されることを保証するステップ（６８；８０）と
を含む方法。
【請求項２】
前記保証するステップが、ネットワーク要素（１０、１２、１４、２０、２２、２４）に対し、無線端末（１６）に関する前記第１リクエストに関連付けられた追跡ログデータを、前記アドレスを有する宛先追跡ログデータ処理装置（２６）へ送信するよう命令するステップ（６８）を含む、請求項１に記載の方法。
【請求項３】
前記保証するステップが、前記第１リクエストに関連付けられた前記追跡ログデータを保存する１個以上のノード（１０、１２、１４、２０、２２、２４、３２）の識別番号に関する情報が前記宛先追跡ログデータ処理装置（２６）へ送信されることを保証するステップを含む、請求項１または２に記載の方法。
【請求項４】
前記保証するステップが、前記追跡ログデータを保存する前記１個以上のノード（１０、１２、１４、２０、２２、２４、３２）に対し、前記アドレスを有する前記宛先追跡ログデータ処理装置（２６）へ、それらの各アドレスに関する情報と、前記無線端末（１６）に関して前記第１リクエストに関連付けられた追跡ログデータを保存する各ノードに関する情報とを送信するよう命令するステップ（６８）を含む、請求項３に記載の方法。
【請求項５】
前記保証するステップが更に、前記宛先追跡ログデータ処理装置（２６）が、前記無線端末（１６）に関する前記第１リクエストに関連付けられた追跡ログデータを受信すべく第２のリクエストを前記ノードへ送信するステップを含む、請求項４に記載の方法。
【請求項６】
追跡ログデータを保存する前記ノードが、前記ネットワーク要素（１０、１２、１４、２０、２２、２４）または前記コアネットワーク管理装置（３２）のいずれかである、請求項３〜５のいずれか一項に記載の方法。
【請求項７】
前記コアネットワーク管理装置（３２）において、前記無線端末（１６）に関する前記第１リクエストに関連付けられた追跡ログデータを前記ネットワーク要素（１０、１２、１４、２０、２２、２４）から受信（７８）して、当該追跡ログデータを、前記アドレスを有する宛先追跡ログデータ処理装置（２６）へ送信するステップ（８０）を更に含む、請求項１または２に記載の方法。
【請求項８】
前記第１リクエストが、前記無線ネットワーク（ＷＮ）の前記アクセスネットワークセクション（ＡＮ）に関連して配置されて前記アクセスネットワークセクション（ＡＮ）のネットワーク要素（１０、１２、１４、２０、２２、２４）を管理するアクセスネットワーク管理装置（２６）から受信される、請求項１〜７のいずれか一項に記載の方法。
【請求項９】
前記第１リクエストが、２個のネットワーク管理装置（２６、３２）の間に配置されたピアツーピアインターフェース（Ｐ２Ｐ）を介して受信される、請求項８に記載の方法。
【請求項１０】
無線ネットワーク（ＷＮ）のコアネットワークセクション（ＣＮ）に関連して配置されていて、前記無線ネットワーク（ＷＮ）における無線端末の動作の追跡を命令するコアネットワーク管理装置（３２）であって、
他の装置およびエンティティと通信すると共に、無線端末（１６）に関する追跡のリクエストであって前記リクエストに関連付けられた追跡ログデータを受信する宛先追跡ログデータ処理装置（２６）のアドレスまたは前記アドレスの特定を可能にするデータを含む前記リクエストを受信する少なくとも１個のインターフェース（４８）と、
ネットワーク追跡管理ユニット（５０）であって、
前記インターフェース（４８）から前記リクエストを受信し、
前記リクエストに基づいて、前記無線ネットワーク（ＷＮ）のアクセスネットワークセクション（ＡＮ）のネットワーク要素（１０、１２、１４、２０、２２、２４）に対し、前記無線端末（１６）に関する追跡を実行するよう自動的に命令し、
前記リクエストに関連付けられた追跡ログデータが前記宛先追跡ログデータ処理装置（２６）へ送信されることを保証すべく構成されているネットワーク追跡管理ユニット（５０）と
を含むコアネットワーク管理装置（３２）。
【請求項１１】
前記ネットワーク追跡管理ユニット（５０）が、前記追跡ログデータが前記宛先追跡ログデータ処理装置（２６）へ送信されることを保証すべく構成されている場合、前記第１リクエストに関連付けられた前記追跡ログデータを保存する１個以上のノードを識別する情報が前記宛先追跡ログデータ処理装置（２６）へ送信されることを保証すべく構成されている、請求項１０に記載のコアネットワーク管理装置（３２）。
【請求項１２】
前記インターフェースが、他の装置およびエンティティと通信すると共に、前記無線ネットワーク（ＷＮ）の前記アクセスネットワークセクション（ＡＮ）に関連して配置されて前記アクセスネットワークセクション（ＡＮ）のネットワーク要素（１０、１２、１４、２０、２２、２４）を管理するアクセスネットワーク管理装置（２６）から前記リクエストを受信する通信ユニット（４８）を含む、請求項１０または１１に記載のコアネットワーク管理装置（３２）。
【請求項１３】
無線ネットワーク（ＷＮ）において無線端末の動作の追跡を開始する方法であって、
前記無線ネットワーク（ＷＮ）のアクセスネットワークセクション（ＡＮ）に関連して配置されて前記アクセスネットワークセクション（ＡＮ）のネットワーク要素（１０、１２、１４、２０、２２、２４）を管理するアクセスネットワーク管理装置（２６）において、追跡したい無線端末（１６）のユーザーによる選択を受信するステップ（５４）と、
前記アクセスネットワーク管理装置（２６）から、前記無線ネットワーク（ＷＮ）のコアネットワークセクション（ＣＮ）に配置されたコアネットワーク管理装置（３２）へ、前記無線端末（１６）に関する追跡のリクエストであって宛先追跡ログデータ処理装置のアドレスを含んでいるリクエストを送信するステップ（６０）と
を含む方法。
【請求項１４】
前記受信するステップ（５４）が、前記追跡に関連付けられた追跡ログデータを受信する宛先追跡ログデータ処理装置（２６）の選択を受信するステップを含む、請求項１３に記載の方法。
【請求項１５】
無線ネットワーク（ＷＮ）のアクセスネットワークセクション（ＡＮ）に関連して配置されて前記アクセスネットワークセクション（ＡＮ）のネットワーク要素（１０、１２、１４、２０、２２、２４）を管理すると共に、前記無線ネットワーク（ＷＮ）における無線端末の動作の追跡を開始するアクセスネットワーク管理装置（２６）であって、
追跡したい無線端末（１６）のユーザーによる選択を受信するユーザーインターフェース（４０）と、
他の装置およびエンティティと通信する通信ユニット（４６）と、
ネットワーク追跡要求装置（４２）であって、
前記無線端末に関する追跡のリクエストであって宛先追跡ログデータ処理装置のアドレスを含むリクエストを生成すると共に、
前記通信ユニット（４６）に対し、前記無線ネットワーク（ＷＮ）のコアネットワークセクション（ＣＮ）に配置されたコアネットワーク管理装置（３２）へ前記リクエストを送信するよう命令すべく構成されているネットワーク追跡要求装置（４２）と
を含むアクセスネットワーク管理装置（２６）。